Podtech/llm-jp-corpus-v4-ja_patent huggingface dataset:
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
１０〜３０アミノ酸長を有し、配列番号：６のアミノ酸配列の一部を含む単離されたペプチドであって、
（ａ）配列番号：２または１のアミノ酸配列から選択される９を超えるアミノ酸長を有する連続するアミノ酸配列；ならびに
（ｂ）（ａ）のアミノ酸配列において１、２または数個のアミノ酸が置換、欠失、挿入および／または付加されているアミノ酸配列
からなる群より選択されるアミノ酸配列を含み、Ｔヘルパー１型（Ｔｈ１）細胞を誘導する能力を有する、ペプチド。
【請求項２】
前記ペプチドまたはその断片が少なくとも２種類のＭＨＣクラスＩＩ分子に結合する能力を有する、請求項１に記載の単離されたペプチド。
【請求項３】
前記ＭＨＣクラスＩＩ分子が、ＨＬＡ−ＤＲ８、ＨＬＡ−ＤＲ５３、ＨＬＡ−ＤＲ１４およびＨＬＡ−ＤＲ９からなる群より選択される、請求項２に記載の単離されたペプチド。
【請求項４】
ＩＭＰ−３特異的細胞傷害性Ｔリンパ球（ＣＴＬ）誘導能を有するペプチドのアミノ酸配列を含む、請求項１から３のいずれか一項に記載の単離されたペプチド。
【請求項５】
（ａ）配列番号：２および１からなる群より選択されるアミノ酸配列；ならびに
（ｂ）（ａ）のアミノ酸配列において１、２または数個のアミノ酸が置換、欠失、挿入および／または付加されているアミノ酸配列
からなる群より選択されるアミノ酸配列を含む、請求項４に記載の単離されたペプチド。
【請求項６】
請求項１から５のいずれか一項に記載のペプチドをコードする単離されたポリヌクレオチド。
【請求項７】
（ｉ）Ｔｈ１細胞、
（ｉｉ）ＣＴＬ、
（ｉｉｉ）Ｔｈ１細胞を誘導する能力を有する抗原提示細胞（ＡＰＣ）、および
（ｉｖ）ＣＴＬを誘導する能力を有するＡＰＣ
からなる群より選択される細胞の少なくとも１つを誘導するための組成物であって、請求項１から５のいずれか一項に記載の１つもしくは複数のペプチド、またはそれらをコードする１つもしくは複数のポリヌクレオチドを含む、組成物。
【請求項８】
（ａ）請求項１から５のいずれか一項に記載の１つまたは複数のペプチド；
（ｂ）請求項６に記載の１つまたは複数のポリヌクレオチド；
（ｃ）請求項１から５のいずれか一項に記載のペプチドまたはその断片を自らの表面に提示する１つまたは複数のＡＰＣ；
（ｄ）請求項１から５のいずれか一項に記載のペプチドまたはその断片を自らの表面に提示するＡＰＣを認識する１つまたは複数のＴｈ１細胞；および
（ｅ）前記（ａ）から（ｄ）の任意の２つまたはそれ以上の組合せ
からなる群より選択される少なくとも１つの有効成分を含有し、ならびに
（ｉ）がんの治療、
（ｉｉ）がんの予防、
（ｉｉｉ）がんにおける術後再発の予防、および
（ｉｖ）前記（ｉ）から（ｉｉｉ）の任意の２つまたはそれ以上の組合せ
からなる群より選択される目的のために製剤化されている、医薬組成物。
【請求項９】
ＭＨＣクラスＩＩ分子としてＨＬＡ−ＤＲ８、ＨＬＡ−ＤＲ５３、ＨＬＡ−ＤＲ１４およびＨＬＡ−ＤＲ９からなる群より選択される少なくとも１つを有する対象への投与用に製剤化されている、請求項８に記載の医薬組成物。
【請求項１０】
ＣＴＬ誘導能を有する１つまたは複数のペプチドをさらに含有する、請求項８または９に記載の医薬組成物。
【請求項１１】
ＭＨＣクラスＩＩ分子によって媒介される免疫応答を増強するための組成物であって、
（ａ）請求項１から５のいずれか一項に記載の１つまたは複数のペプチド；
（ｂ）請求項６に記載の１つまたは複数のポリヌクレオチド；
（ｃ）請求項１から５のいずれか一項に記載のペプチドまたはその断片を自らの表面に提示する１つまたは複数のＡＰＣ；
（ｄ）請求項１から５のいずれか一項に記載のペプチドまたはその断片を自らの表面に提示するＡＰＣを認識する１つまたは複数のＴｈ１細胞；および
（ｅ）前記（ａ）から（ｄ）の任意の２つまたはそれ以上の組合せ
からなる群より選択される少なくとも１つの有効成分を含有する、組成物。
【請求項１２】
Ｔｈ１細胞を誘導する能力を有するＡＰＣを誘導するための方法であって、ＡＰＣを請求項１から５のいずれか一項に記載のペプチドとインビトロで接触させる段階を含む、方法。
【請求項１３】
Ｔｈ１細胞をインビトロで誘導するための方法であって、
（ａ）ＣＤ４陽性Ｔ細胞を、ＭＨＣクラスＩＩ分子と請求項１から５のいずれか一項に記載のペプチドまたはその断片との複合体を自らの表面に提示するＡＰＣと共培養する段階；および
（ｂ）Ｔ細胞受容体（ＴＣＲ）サブユニットの両方をコードするポリヌクレオチド、またはＴＣＲサブユニットの各々をコードするポリヌクレオチドをＣＤ４陽性Ｔ細胞に導入する段階であって、ここでＴＣＲが、細胞表面に提示されるＭＨＣクラスＩＩ分子と請求項１から５のいずれか一項に記載のペプチドまたはその断片との複合体に結合することができる、段階
からなる群より選択される段階を含む、方法。
【請求項１４】
ＣＴＬをインビトロで誘導するための方法であって、
（ａ）ＣＤ４陽性Ｔ細胞およびＣＤ８陽性Ｔ細胞の両方を、請求項４または５に記載のペプチドと接触させたＡＰＣと共培養する段階；ならびに
（ｂ）ＣＤ８陽性Ｔ細胞を、請求項４または５に記載のペプチドと接触させたＡＰＣと共培養する段階
からなる群より選択される段階を含む、方法。
【請求項１５】
ＭＨＣクラスＩＩ分子と請求項１から５のいずれか一項に記載のペプチドまたはその断片との複合体を自らの表面に提示する、単離されたＡＰＣ。
【請求項１６】
ＡＰＣの表面に提示された請求項１から５のいずれか一項に記載のペプチドまたはその断片を認識する、単離されたＴｈ１細胞。
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
金属放出材料を含む糸状要素（３１）を備えた金属蒸気ディスペンサー（３０）において、前記糸状要素（３１）がその長さの少なくとも８０％に開口部（３３）を有し、前記ディスペンサー（３０）が、前記糸状要素（３１）の端部に２つの端子（１１０；１２０；１３０；１４０；１５０；３３０，３３０’）をさらに備え、前記糸状要素（３１）は、電気抵抗Ｒｗおよび表面積Ｓｗを有し、前記２つの端子（１１０；１２０；１３０；１４０；１５０；３３０，３３０’）は、電気抵抗Ｒｔおよび総表面積Ｓｔを有する金属蒸気ディスペンサー（３０）であって、
前記糸状要素および前記端子の電気抵抗および表面積Ｒｗ，Ｓｗ，Ｒｔ，Ｓｔの間に以下の関係を有し、
（Ｒｔ／Ｓｔ）／（Ｒｗ／Ｓｗ）＜０．７
前記端子の総表面積Ｓｔが７２ｍｍ２以上であることを特徴とする、金属蒸気ディスペンサー（３０）。
【請求項２】
前記糸状要素および前記端子の電気抵抗および表面積Ｒｗ，Ｓｗ，Ｒｔ，Ｓｔの間の関係が、（Ｒｔ／Ｓｔ）／（Ｒｗ／Ｓｗ）＜０．６５である、請求項１に記載の金属蒸気ディスペンサー（３０）。
【請求項３】
前記端子の総表面積（Ｓｔ）が５ｃｍ２以下である、請求項１または２に記載の金属蒸気ディスペンサー（３０）。
【請求項４】
前記端子（１１０；１２０；１３０；１４０；１５０；３３０；３３０’）が、１つまたは複数の切抜き部分（１１２；１２２，１２２’；１３２，１３２’；１４２，１４２’；１５２，１５２’）が形成された主部（１１１；１２１；１３１；１４１；１５１）を有する、請求項１から３のいずれか一項に記載の金属蒸気ディスペンサー（３０）。
【請求項５】
前記端子（１１０；１２０；１３０；１４０；１５０；３３０，３３０’）がニッケル合金、ニッケルめっき金属、鋼から作製されている、請求項１から４のいずれか一項に記載の金属蒸気ディスペンサー（３０）。
【請求項６】
前記金属がアルカリ金属であり、好ましくはリチウムおよびセシウムから選択される、請求項１から５のいずれか一項に記載の金属蒸気ディスペンサー（３０）。
【請求項７】
還元剤とともに少なくとも１つのアルカリ金属モリブデン酸塩、タングステン酸塩、ニオブ酸塩、タンタル酸塩、ケイ酸塩、ジルコニウム酸塩、クロム酸塩、過マンガン酸塩、チタン酸塩をさらに含む、請求項６に記載の金属蒸気ディスペンサー（３０）。
【請求項８】
前記還元剤が、チタンと、ジルコニウムと、チタンおよび／またはジルコニウムおよび１つまたは複数の遷移元素を含む合金との１つまたは複数を含み、チタンおよび／またはジルコニウムが前記合金の少なくとも２０％存在する、請求項７に記載の金属蒸気ディスペンサー（３０）。
【請求項９】
前記金属放出材料が粉末形態である、請求項１から８のいずれか一項に記載の金属蒸気ディスペンサー（３０）。
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
少なくとも１つの入口孔（２２）および１つの出口孔（２３）が設けられた構造を形成する、カバー（２１）によって閉鎖された中空体（２０）を備える音響減衰器装置付き圧縮機であって、前記中空体（２０）と前記カバー（２１）との間には、前記構造を少なくとも２つの音響チャンバ（Ａ、Ａ’）に分割する少なくとも１つの中間体（２４）が設けられており、前記少なくとも１つの中間体は、前記音響チャンバ（Ａ、Ａ’）と流体連通している少なくとも１つの接続チャネル（２６）が設けられたプラットフォーム（２５）によって形成されており、前記少なくとも１つの接続チャネルは、前記出口孔（２３）と相互接続している出口チャネル（２７）をさらに包囲していることを特徴とする、音響減衰器装置付き圧縮機。
【請求項２】
前記接続チャネル（２６）および前記出口チャネル（２７）が、前記音響チャンバ（Ａ、Ａ’）の間にガスを通すための空間を形成することを特徴とする、請求項１に記載の音響減衰器装置付き圧縮機。
【請求項３】
前記中間チャンバ（２４）が、中空体（２０）の縁およびカバー（２１）に直接固定されていることを特徴とする、請求項１に記載の音響減衰器装置付き圧縮機。
【請求項４】
低熱伝導性材料で作られていることを特徴とする、請求項１に記載の音響減衰器装置付き圧縮機。
【請求項５】
前記中間体（２４）の前記接続チャネル（２６）が、その断面が「８」の字型の構成を備えることを特徴とする、請求項１に記載の音響減衰器装置付き圧縮機。
【請求項６】
前記中間体（２４）の前記接続チャネル（２６）が、その断面が円形、正方形、長方形、三角形、楕円形、または星形である構成を備えることを特徴とする、請求項１に記載の音響減衰器装置付き圧縮機。
【請求項７】
前記出口チャネル（２７）が、接続チャネル（２６）と同等の形状を備えることを特徴とする、請求項１に記載の音響減衰器装置付き圧縮機。
【請求項８】
前記出口チャネル（２７）が、前記接続チャネル（２６）の形状とは異なる形状を備えることを特徴とする、請求項１に記載の音響減衰器装置付き圧縮機。
【請求項９】
前記中間体（２４）を押圧および係止する、前記カバー（２１）の縁との前記中空体（２０）の固定が、溶接、糊、接着剤、または機械式ロックによって実行されることを特徴とする、請求項１に記載の音響減衰器装置付き圧縮機。
【請求項１０】
前記接続チャネル（２６）および前記出口チャネル（２７）が、同心的に設けられていることを特徴とする、請求項１に記載の音響減衰器装置付き圧縮機。
【請求項１１】
前記接続チャネル（２６）および前記出口チャネル（２７）が、中心からずれて設けられていることを特徴とする、請求項１に記載の音響減衰器装置付き圧縮機。
【請求項１２】
前記中空体（２０）と前記カバー（２１）との間に設けられた少なくとも１つの中間アダプタ（２８）を備えることを特徴とする、請求項１に記載の音響減衰器装置付き圧縮機。
【請求項１３】
前記中空体（２０）から中間アダプタ（２８）への縁の間、およびこのアダプタ（２８）の縁から前記カバー（２１）の縁への間にそれぞれ設けられて固定された、２つの中間体（２４）を備えることを特徴とする、請求項１２に記載の音響減衰器装置付き圧縮機。
【請求項１４】
前記中間アダプタ（２８）が、中間体（２４）を組み込むことによって作られることを特徴とする、請求項１２に記載の音響減衰器装置付き圧縮機。
【請求項１５】
その構成要素は垂直または水平の構造になっており、前記プラットフォーム（２５）が、水平または垂直に設けられていることを特徴とする、請求項１に記載の音響減衰器装置付き圧縮機。
【請求項１６】
前記カバー（２１）および前記出口チャネル（２７）が、１つの単一部品として製造されることを特徴とする、請求項１に記載の音響減衰器装置付き圧縮機。
【請求項１７】
前記カバー（２１）および前記出口チャネル（２７）が、個別に製造されることを特徴とする、請求項１に記載の音響減衰器装置付き圧縮機。
【手続補正書】
【提出日】平成29年7月10日(2017.7.10)
【手続補正１】
【補正対象書類名】特許請求の範囲
【補正対象項目名】請求項１
【補正方法】変更
【補正の内容】
【請求項１】
硬質フォームの製造方法であって、少なくとも１種のポリイソシアネートと、少なくとも１種のポリエポキシド、水及び少なくとも１種の他の水素酸性化合物を含む混合物との反応を含み、前記反応が少なくとも１個の窒素原子を有する無金属ルイス塩基の存在下で行われ、
その触媒が、１，８−ジアザビシクロ−５，４，０−ウンデセン−７−エン、Ｎ−メチル−Ｎ’−（ジメチルアミノメチル）ピペラジン、ペンタメチルジエチレントリアミン、メチルイミダゾール、並びに、これらの混合物及び誘導体からなる群から選択されることを特徴とする方法。
【手続補正２】
【補正対象書類名】特許請求の範囲
【補正対象項目名】請求項１２
【補正方法】変更
【補正の内容】
【請求項１２】
少なくとも１種のポリイソシアネートと、少なくとも１種のポリエポキシド、水及び少なくとも１種の他の水素酸性化合物を含む混合物との反応を含む方法により得られる又は得られた硬質フォームであって、前記反応が少なくとも１個の窒素原子を有する無金属ルイス塩基の存在下で行われることを特徴とする硬質フォーム。
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
ハロゲン化ポリマーの残留酸度を削減し且つ黄色度指数を維持するプロセスであって、前記プロセスは以下から構成される：
i. ハロゲン化ポリマーを回転真空乾燥に掛け、次に、
ii. 回転真空乾燥済みハロゲン化ポリマーをアルカリ金属塩溶液で中和する。
【請求項２】
請求項１に請求されるプロセスであって、ここに回転真空乾燥を1〜3時間、温度範囲20〜70℃で1〜3 torrの真空下で行う。
【請求項３】
請求項１に請求されるプロセスであって、ここに、アルカリ金属塩溶液はカルシウム（Ca）、マグネシウム（Mg）、ベリリウム（Be）、ストロンチウム（Sr）、バリウム（Ba）から成る群から選ぶアルカリ金属の水酸化物である。
【請求項４】
請求項１に請求されるプロセスであって、ここにハロゲン化ポリマーの残留酸度が2000 ppm以下へ削減され、同時にこのプロセスを一貫してハロゲン化ポリマーの黄色度指数を3.5以下に維持する。
【請求項５】
請求項１に請求されるプロセスであって、ここに回転真空乾燥済みハロゲン化ポリマーを20〜40℃で0.005M〜0.02Mの水酸化カルシウム溶液で中和する。
【請求項６】
請求項１に請求されるプロセスであって、ここにハロゲン化ポリマーは塩化ポリ塩化ビニル（CPVC）である。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
式（Ｉ）の末端基を有するポリマー：
【化１】
2016525618.tif 000001
（式中、
Ｒ１ａは炭素数１〜１２の一価ヒドロカルビルラジカルであり、
Ｒ１ｂは水素原子、若しくは炭素数１〜１２の一価ヒドロカルビルラジカルであり、
Ｒ２は水素原子、又は炭素数１〜１２であり、任意にエーテル基、エステル基、ニトリル基、アミノ基若しくはシラン基を含有する一価ヒドロカルビルラジカルであり、
Ｒ３は炭素数１〜２０であり、任意に芳香族部分を有し、任意に１つ又は複数のヘテロ原子、特に窒素原子を有する直鎖又は分岐アルキレン又はシクロアルキレンラジカルであり、
Ｒ４は炭素数１〜８のアルキルラジカルであり、
Ｒ５は炭素数１〜１０であり、任意にエーテル基を含有するアルキルラジカルであり、
ｘは０、１又は２である）。
【請求項２】
Ｒ１ａがメチルラジカルであり、Ｒ１ｂが水素原子であることを特徴とする、請求項１に記載のポリマー。
【請求項３】
Ｒ２が水素原子又はアルキルラジカル又はシクロアルキルラジカル又はアルコキシシリルアルキルラジカルであることを特徴とする、請求項１又は２に記載のポリマー。
【請求項４】
Ｒ３が１，３−プロピレン、２−メチル−１，３−プロピレン、１，４−ブチレン、３−メチル−１，４−ブチレン及び３，３−ジメチル−１，４−ブチレンからなる群から選択されることを特徴とする、請求項１〜３のいずれか一項に記載のポリマー。
【請求項５】
Ｒ５がメチルラジカル又はエチルラジカルであることを特徴とする、請求項１〜４のいずれか一項に記載のポリマー。
【請求項６】
ｘが１又は０、特に０であることを特徴とする、請求項１〜５のいずれか一項に記載のポリマー。
【請求項７】
前記式（Ｉ）の末端基に基づく１〜４の範囲の官能価を有する、請求項１〜６のいずれか一項に記載のポリマー。
【請求項８】
１０００ｇ／ｍｏｌ〜３００００ｇ／ｍｏｌの範囲の平均分子量を有する、請求項１〜７のいずれか一項に記載のポリマー。
【請求項９】
室温で液体であり、多数のポリオキシアルキレン単位を有する、請求項１〜８のいずれか一項に記載のポリマー。
【請求項１０】
室温で固体であり、多数のポリエステル単位及び／又はポリカーボネート単位を有する、請求項１〜８のいずれか一項に記載のポリマー。
【請求項１１】
少なくとも１種のポリオールと、
少なくとも１種のジイソシアネートと、
少なくとも１種の式（ＩＩ）のラクチド又は少なくとも１種の式（ＩＩＩ）のヒドロキシエステルと、
少なくとも１種の式（ＩＶ）のアミノシランと、
を互いに反応させることを含む、請求項１〜１０のいずれか一項に記載のポリマーを作製する方法：
【化２】
2016525618.tif 000002
（式中、
ｍは１〜１００の整数であり、
Ｒ６は炭素数１〜１２の一価ヒドロカルビルラジカルである）。
【請求項１２】
式（Ｖ）のヒドロキシシランを中間体として行われる、請求項１１に記載の方法：
【化３】
2016525618.tif 000003
【請求項１３】
前記式（Ｖ）のヒドロキシシランが前記式（ＩＩ）のラクチドを用いて調製されることを特徴とする、請求項１２に記載の方法。
【請求項１４】
少なくとも１種の更なる構成要素を含む硬化性組成物の構成要素としての請求項１〜１０のいずれか一項に記載のポリマーの使用。
【請求項１５】
前記硬化性組成物が、室温で塗布可能な湿気硬化型組成物又はシラン基を含有するホットメルト接着剤であることを特徴とする、請求項１４に記載の使用。
【誤訳訂正書】
【提出日】平成29年8月22日(2017.8.22)
【誤訳訂正１】
【訂正対象書類名】特許請求の範囲
【訂正対象項目名】全文
【訂正方法】変更
【訂正の内容】
【特許請求の範囲】
【請求項１】
流体伝熱媒体の供給口および排出口をそれぞれ有する少なくとも１つの吸着ユニットと少なくとも１つの蒸発器／凝縮器ユニットを含み、前記ユニットが別個または共通の真空気密ハウジング内に配置される吸着モジュールであって、
前記ハウジングは板状に形成され、複数の板状ハウジングは接合されて共通蒸気ダクトを備えた積層構造体にされ、
個々の前記ハウジングは、モジュール全体になるように接合され、真空気密エンベロープによって閉鎖されており、
ハウジングの少なくとも一部が吸着ユニットの一体部分であって、
少なくとも前記吸着ユニットは、複数の貫通孔を有する一体鋳造または焼結三次元金属構造体から成り、
貫通孔の構造は、鋳造または焼結技術に応じて自由に選択可能であって、
前記三次元構造体上に、ゼオライト層が密着して配置されており、
前記ゼオライト層は、ｉｎ  ｓｉｔｕ結晶化されたゼオライトであり、この場合、原子は、標的として金属基材から取り出され、前記ゼオライト層に組み込まれ、
前記金属構造体は、前記各板状ハウジングの一体部品である、吸着モジュール。
【請求項２】
前記板状ハウジングは金属板から成り、前記金属板は突起状の型打ちした突出部を有し、いずれも互いに対向する突出部を有する少なくとも１組の金属板は接続されてハウジングになり、その結果、前記伝熱媒体のための空間が形成され、この点に関して、前記突出部は前記金属板間のスペーサを形成することを特徴とする、請求項１に記載の吸着モジュール。
【請求項３】
前記板状ハウジングは、対で接合される開放輪郭板から成り、前記輪郭板は、略Ｕ字形断面を有し、Ｕ字足部は、互いに対向して配置されて、前記伝熱媒体のための空間が形成されるように接合部分を形成し、さらに前記輪郭板が前記伝熱媒体と接触する領域は、表面拡大構造を有することを特徴とする、請求項１に記載の吸着モジュール。
【請求項４】
前記伝熱媒体と接触しない領域は、少なくとも部分的に多孔質層で、任意で、ゼオライト層で覆われることを特徴とする、請求項３に記載の吸着モジュール。
【請求項５】
前記板状ハウジングは、前記伝熱媒体のための空間を形成する複数のダクトを有する押し出し輪郭体から成ることを特徴とする、請求項１に記載の吸着モジュール。
【請求項６】
前記ハウジングの少なくとも１つの外側面は、表面を拡大するリッピングまたは同様の構造を有することを特徴とする、請求項３〜請求項５のうちのいずれか一項に記載の吸着モジュール。
【請求項７】
積層構造体が形成された時に連続ダクトになるように接合される一体蒸気ダクト部分を有する少なくとも１つの吸着ユニットまたは少なくとも１つの蒸発器／凝縮器ユニットを含むアセンブリを特徴とする、請求項１〜請求項６のうちのいずれか一項に記載の吸着モジュール。
【請求項８】
前記一体型三次元鋳造または焼結金属構造体は、アルミニウム製であることを特徴とする、請求項１〜請求項７のうちのいずれか一項に記載の吸着モジュール。
【請求項９】
前記構造体は、複数の貫通孔を有する鋳造体または焼結体として実現されることを特徴とする、請求項８に記載の吸着モジュール。
【請求項１０】
前記鋳造体または焼結体は、成形された伝熱媒体の集液路、成形された伝熱媒体案内手段、伝熱媒体が流通する成形された管または同様の手段を備えることを特徴とする、請求項９に記載の吸着モジュール。
【請求項１１】
出力スケーリングは、前記積層構造体内の前記板状ハウジングの数によって実現されることを特徴とする、請求項１〜請求項１０のうちのいずれか一項に記載の吸着モジュール。
【請求項１２】
前記ゼオライト構造体は、微細孔ＳＡＰＯ材料、微細孔ＡＬＰＯ材料、または微細孔Ｍｉ−ＡＬＰＯ材料を表しており、前記金属構造体の表面に略垂直な主成長方向に配向された結晶を含むことを特徴とする、請求項１〜請求項１１に記載の吸着モジュール。
【請求項１３】
請求項１〜請求項１２のうちのいずれか一項に記載の少なくとも１つの吸着モジュールをベースとした冷却装置またはヒートポンプ。
【請求項１４】
請求項７に記載の少なくとも１つの吸着モジュールをベースとした蓄冷器または蓄熱器。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
蛍光検出システムであって、
モバイル装置と結合する可視光源と、
該モバイル装置のメモリ内に読込み可能であると共に該モバイル装置のプロセッサによって実行可能である、機械可読命令を具備するソフトウェアであって、
該モバイル装置のカメラを使用した一つ以上の画像のキャプチャと連携した状態において該可視光源を起動し、
該一つ以上の画像内の既定の色範囲内の強度シフトを検出するべく、該可視光源がオフ状態にある状態においてキャプチャされた該一つ以上の画像のうちの一つと共に該可視光源がオン状態にある状態でキャプチャされた該一つ以上の画像のうちの一つを分析し、且つ、
該一つ以上の画像内の該強度シフトを計測することによって物体を識別及び認証する、
能力を有する、ソフトウェアと、
を具備するシステム。
【請求項２】
該可視光源は、該モバイル装置のポート内にプラグ結合されるように適合されたＬＥＤを具備する、請求項１に記載のシステム。
【請求項３】
該ＬＥＤは、該モバイル装置のヘッドフォンジャックにフィットするようにサイズ設定されている、請求項２に記載のシステム。
【請求項４】
該ＬＥＤは、約４５０ｎｍの波長において放出する、請求項２に記載のシステム。
【請求項５】
該分析ステップは、該ＬＥＤからの該放出に応答して、該一つ以上の画像内の赤色波長帯域内におけるＩＲ蛍光色素によってタグ付けされた物体からの蛍光応答を検出するステップを具備する、請求項４に記載のシステム。
【請求項６】
該モバイル装置は、携帯電話機、タブレット、ラップトップコンピュータ、ノートブックコンピュータ、ＭＰ３プレーヤ、ｉＰａｄ、ｉＴｏｕｃｈ、ｉＰｏｄ、及びパーソナルデータアシスタントの群から選択される、請求項１に記載のシステム。
【請求項７】
蛍光検出システムであって、
該モバイル装置のメモリ内に読込み可能であると共に該モバイル装置のプロセッサによって実行可能である、機械可読命令を有するソフトウェアであって、
モバイル装置のカメラを使用した一つ以上の画像のキャプチャと連携した状態において可視光を放出するべく、該モバイル装置のディスプレイを起動し、
各画像内の既定の色範囲内の強度シフトを検出するべく、該ディスプレイがオフ状態にある状態においてキャプチャされた該一つ以上の画像のうちの一つと共に該ディスプレイが該可視光を放出している状態でキャプチャされた該一つ以上の画像のうちの一つを分析し、且つ、
各画像内の該強度シフトを計測することによって物体を識別及び認証する、
能力を有する、ソフトウェア、
を具備するシステム。
【請求項８】
カメラを有するモバイル装置と結合する蛍光検出システムであって、
該カメラのフラッシュ上において配置されるフィルタと、
該モバイル装置のメモリ内に読込み可能であると共に該モバイル装置のプロセッサによって実行可能である、機械可読命令を具備するソフトウェアであって、
該フラッシュが有効ではない際に該カメラを使用して物体の第一画像をキャプチャし、
該カメラを使用した該物体の第二画像のキャプチャと連携した状態において該フラッシュを起動し、
該フラッシュの起動に応答して、該物体からの蛍光に基づいて該第一及び第二画像内の既定の色範囲内の強度シフトを検出するべく、該第一及び第二画像を分析し、且つ、
該検出された強度シフトに基づいて該物体を識別及び認証する、
能力を有する、ソフトウェアと、
を具備する、システム。
【請求項９】
該フィルタは、該フラッシュからの緑色及び赤色放出を遮断する、請求項８に記載のシステム。
【請求項１０】
該既定の色範囲は、赤色波長帯域を具備し、この場合に、該物体は、該フラッシュからの該フィルタリングされた放出に応答して該赤色波長帯域において蛍光を発するＩＲ蛍光色素を有するように構成されている、請求項９に記載のシステム。
【請求項１１】
電磁センサアレイ用の近ＩＲフィルタアレイ層であって、
該センサアレイのそれぞれのピクセルごとに、それぞれの赤外線フィルタが、赤外線波長帯域内の電磁放射の異なる波長をピクセルの一つのセンタに対して伝達するべく構成されるように、該センサアレイ上において配置された複数の赤外線フィルタ、
を具備する近ＩＲフィルタアレイ層。
【請求項１２】
フィラメント認証を伴う３Ｄプリンタであって
材料のフィラメントを使用して３Ｄ物体を生成する印刷エンジンと、
該印刷エンジンによる使用の前に該フィラメントを認証するべく位置決めされた赤外線（ＩＲ）認証器であって、該ＩＲ認証器は、
第一波長のＩＲを生成するＩＲ生成器と、
第二ＩＲ波長において該フィラメント内の色素の蛍光を検出するＩＲ検出器と、
を備える赤外線（ＩＲ）認証器と、
を具備し、
該フィラメントの該認証は、該第二ＩＲ波長における該蛍光の検出に基づいており、
該印刷エンジンの動作は、該ＩＲ認証器による該フィラメントの認証に基づいている、
３Ｄプリンタ。
【請求項１３】
該印刷エンジンは、該フィラメントが該３Ｄプリンタ内に設置された際に該フィラメントの認証を開始する、請求項１２に記載の３Ｄプリンタ。
【請求項１４】
該印刷エンジンは、該印刷エンジンの動作の際に定期的に該フィラメントの認証を開始する、請求項１２に記載の３Ｄプリンタ。
【請求項１５】
該印刷エンジンンの構成は、少なくとも部分的に該フィラメントの該認証に基づいている、請求項１２に記載の３Ｄプリンタ。
【請求項１６】
該印刷エンジンの少なくとも一つのパラメータは、該フィラメント内の該色素の該検出された蛍光応答に基づいて構成されている、請求項１２に記載の３Ｄプリンタ。
【請求項１７】
該色素の該検出された蛍光応答は、該フィラメントのタイプを識別している、請求項１２に記載の３Ｄプリンタ。
【請求項１８】
３Ｄプリンタにおいて使用されるフィラメントを認証する方法であって、
該３Ｄプリンタ内において、第一波長のＩＲビームを該フィラメント上に投射するステップと、
該ＩＲビームに応答して、該フィラメント内の色素からの第二波長のＩＲ蛍光を検出するステップと、
を具備し、該検出されたＩＲ蛍光は、該３Ｄプリンタ内の該フィラメントの認証を通知している、方法。
【請求項１９】
該投射及び検出ステップは、該３Ｄプリンタの動作の際に定期的に反復される、請求項１８に記載の方法。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
互いに噛合する複数のメインギア（１０；１３；１４；１５）を含む航空機駆動チェーンであって、第一メインギア（１０）は内部空間（１２）を画定する壁（２１ａ、２２）を備え、外部セットのギア歯（２４）は壁（２１ａ、２２）の外表面上に配置され、外部セットのギア歯（２４）は少なくとも１つの第二メインギア（１３；１４；１５）と噛合し、ギアシステム（１１ａ）は内部空間（１２）に組み込まれ、第一メインギア（１０）およびギアシステム（１１ａ）は増速機または減速機を形成して駆動部材と従動部材との間の機械動力伝達を確保するように連帯して構成され、前記ギアシステム（１１ａ）はデカップリング部材（１１ｂ）によって壁（２１ａ、２２）に実装されている、航空機駆動チェーン。
【請求項２】
ギアシステム（１１ａ）が、クラウンを形成する部材（３０；２４１）、少なくとも２つの遊星歯車（４０）、遊星キャリアを形成する部材（４１；２４３）、および太陽歯車歯セット（５０）を備え、太陽歯車歯セット（５０）が駆動部材または従動部材に接続された第一シャフト（４２）上に配置され、内部セットのギア歯（２５；２２５）がクラウンを形成する部材（３０；２４１）の内表面に配置され、遊星歯車（４０）が内部セットのギア歯（２５；２２５）および太陽歯車歯セット（５０）と噛合する、請求項１に記載の駆動チェーン。
【請求項３】
クラウンを形成する部材（３０）が、デカップリング部材（１１ｂ）の内側軌道がその上に作られるリム（２１ｂ）を備え、遊星キャリアを形成する部材（４１）は航空機フレームに対して固定されている、請求項２に記載の駆動チェーン。
【請求項４】
クラウンを形成する部材（２４１）が、航空機フレームに対して固定されているリング状の壁（２２１ｂ）を備え、遊星キャリアを形成する部材（２４３）は、デカップリング部材（１１ｂ）の内側軌道がその上に作られるリム（４２１ｂ）を備える、請求項２に記載の駆動チェーン。
【請求項５】
第一メインギア（１０）に向かう運動が、外部セットのギア歯（２４）によって開始される、請求項１から４のいずれか一項に記載の駆動チェーン。
【請求項６】
第一メインギア（１０）に向かう運動が、第一シャフト（４２）によって開始される、請求項２から４のいずれか一項に記載の駆動チェーン。
【請求項７】
デカップリング部材（１１ｂ）が、第一メインギア（１０）の回転速度がクラウンを形成する部材（３０）の回転速度よりも早いとき、またはギア（１０）の回転速度が設定値に到達したときに遠心力によって生じる離脱によって、ギアシステム（１１ａ）および第一メインギア（１０）の回転分離を許容するように構成されている、請求項２から４のいずれか一項に記載の駆動チェーン。
【請求項８】
デカップリング部材（１１ｂ）が、オーバーランニングクラッチ装置（５１）を備える、請求項７に記載の駆動チェーン。
【請求項９】
ギアシステム（１１ａ）の遊星歯車（４０）が各々、直径の異なるギア歯の第一（４９ａ）および第二（４９ａ）セットを有する、請求項２から６のいずれか一項に記載の駆動チェーン。
【請求項１０】
前記第一メインギアが、第一シャフト（４２）と同軸の第二シャフト（２３）を備える、請求項２から７のいずれか一項に記載の駆動チェーン。
【請求項１１】
第一メインギア（１０）が、リングおよびピニオンの一部を形成する、請求項１から１０のいずれか一項に記載の駆動チェーン。
【請求項１２】
ＡＧＢ、ＰＧＢ、ＲＧＢ、ＲＡＴ、またはＡＰＵ駆動装置を対象とする、請求項１から１１のいずれか一項に記載の駆動チェーン。
【請求項１３】
請求項１から１１のいずれか一項に記載の駆動チェーンを備える、補機ギアボックス（ＡＧＢ）。
【請求項１４】
請求項１から１１のいずれか一項に記載の駆動チェーンを備える、プロペラ用ギアボックス（ＰＧＢ）。
【誤訳訂正書】
【提出日】平成29年6月6日(2017.6.6)
【誤訳訂正１】
【訂正対象書類名】明細書
【訂正対象項目名】００１１
【訂正方法】変更
【訂正の内容】
【００１１】
「メラニンの誘導体」とは、化学的又は物理的プロセスによるメラニン（すなわち、ユーメラニン又はフェオメラニン）由来の化合物を意味する。本方法における使用に好適なメラニン誘導体は、それが得られた試料中に存在するメラニンに量に相関できる必要がある。メラニン誘導体のいくつかの非限定的な例としては、ピロール−２，３，５−トリカルボン酸（ユーメラニン），５−Ｓ−システイニルドーパ（フェオメラニン）、６−ヒドロキシ−５−メトキシインドール−２−カルボン酸（ユーメラニン）、４−アミノ−３−ヒドロキシフェニルアラニン（フェオメラニン）、３−アミノ−４−ヒドロキシフェニルアラニン（フェオメラニン）、２，３−ジカルボン酸（ユーメラニン）、６−（２−アミノ−２−カルボキシエチオール）−２−カルボキシ−４−ヒドロキシベンゾチアゾ−ル（フェオメラニン）、７−（２−アミノ−２−カルボキシエチオール）−２−カルボキシ−４−ヒドロキシベンゾチアゾ−ル（フェオメラニン）が挙げられる。メラニンの誘導体を得るために使用され得るプロセスのいくつかの非限定的な例としては、化学的ダイジェスチョン（digestion）、化学分解、及び酵素ダイジェスチョン（digestion）が挙げられる。
【誤訳訂正２】
【訂正対象書類名】明細書
【訂正対象項目名】００３５
【訂正方法】変更
【訂正の内容】
【００３５】
メラニン誘導体を得ること
生体物質の試料からメラニン誘導体を得るために、試料を、メラニン前駆体を所望のメラニン誘導体に変換するための好適な化学又は物理プロセスに供する。例えば、ＰＴＣＡは、皮膚細胞を含む試料から、過酸化水素、及びメラニンをＰＴＣＡに変換する好適な塩基（例えば、水酸化ナトリウム）の好適な量及び濃度で試料を化学的にダイジェスティング（digesting）することによって得ることができる。しかしながら、試料をダイジェスティング（digesting）及び／又は試料を他の破壊的プロセスに供する前に、総タンパク質含有量を測定するなどの非破壊的試験を最初に行うことが望ましいであろうことを理解されたい。加えて又は代替的に、内部標準物質（例えば、好適な同位体又は関心の誘導体と同様の構造の化合物）などのダイジェスト（digest）において任意の化合物を含むことが望ましい場合があり、それを使用してＰＴＣＡの量を正規化し、例えば、試料損失又は分析的機器の多様性を修正することができる。試料から得られたメラニン誘導体は、当該技術分野で知られているような好適な液液抽出手順によるダイジェスト（digest）から抽出され得る。例えば、ダイジェスト（digest）からＰＴＣＡを抽出するときに、好適な溶解性を有する水不混和性溶媒（例えば、メチル−ｔ−ブチルエーテル、ジエチルエーテル、クロロホルム、塩化メチレン、ヘキサン、又は他の好適な溶媒）が使用されてもよい。いくつかの実施形態では、メラニン誘導体は、ダイジェスチョン（digested）された試料中で直接分析されてもよい。ダイジェスチョン（digested）された試料及び／又は抽出された分析物は、所望のメラニン誘導体の検出に十分な特異性及び感受性を提供する分析的分析法に供されてもよい。例えば、これに限定されないが、タンデム質量分析などの感受性及び選択的検出方法を伴う好適な逆相高性能液体クロマトグラフィー（「ＨＰＬＣ」）カラムは、ＰＴＣＡなどの特定のメラニン誘導体を検出するのに特に好適であり得る。
【誤訳訂正３】
【訂正対象書類名】特許請求の範囲
【訂正対象項目名】全文
【訂正方法】変更
【訂正の内容】
【特許請求の範囲】
【請求項１】
メラニン誘導体を得る非侵襲的方法であって、
ａ．対象とする皮膚面を粘着剤と接触させて、生体物質の試料を収集することと、
ｂ．前記生体物質の試料からメラニン誘導体を得ることと、
ｃ．前記メラニン誘導体を用いて、化粧品を開発又は評価することと、を含み、
前記メラニン誘導体が、ピロール−２，３，５−トリカルボン酸である、方法。
【請求項２】
前記粘着剤が、基質上に配置される、請求項１に記載の方法。
【請求項３】
前記生体物質が、ケラチン産生細胞を含む、請求項１に記載の方法。
【請求項４】
前記ピロール−２，３，５−トリカルボン酸が、前記ケラチン産生細胞から得られる、請求項３に記載の方法。
【請求項５】
前記メラニン誘導体を得ることが、前記生体物質の試料をダイジェスティングする（digesting）ことを含む、請求項１〜４のいずれか一項に記載の方法。
【請求項６】
前記メラニン誘導体を得ることが、液液抽出を含む、請求項１〜５のいずれか一項に記載の方法。
【請求項７】
前記メラニン誘導体を得ることが、逆相高性能液体クロマトグラフィーを含む、請求項１〜６のいずれか一項に記載の方法。
【請求項８】
前記メラニン誘導体を得ることが、前記試料に内部標準物質を添加することを含む、請求項１〜７のいずれか一項に記載の方法。
【請求項９】
前記対象とする皮膚面が、色素過剰部分又は低色素部分を含む、請求項１〜８のいずれか一項に記載の方法。
【請求項１０】
被験者が、フィッツパトリックスケールのタイプＩ、タイプＩＩ、タイプＩＩＩ、又はタイプＩＶと分類される皮膚タイプを有する、請求項１〜９のいずれか一項に記載の方法。
【請求項１１】
前記粘着剤が、少なくとも１秒間、前記皮膚と接触したままである、請求項１〜１０のいずれか一項に記載の方法。
【請求項１２】
前記メラニン誘導体の量を、前記皮膚に存在するメラニンの量と相関させることを更に含む、請求項１〜１１のいずれか一項に記載の方法。
【請求項１３】
ｅ．皮膚の第２の部分を前記粘着剤と接触させて、生体物質の第２の試料を収集することと、
ｆ．前記生体物質の第２の試料から第２のメラニン誘導体を得ることと、
ｇ．前記第２の試料から得た前記第２のメラニン誘導体の量を決定することと、 
ｈ．前記第１のメラニン誘導体の前記量を前記第２のメラニン誘導体の前記量と比較して、前記皮膚の第１及び第２の部分のうちの少なくとも１つに存在するメラニンの相対量を決定することと、を更に含む、請求項１〜１２のいずれか一項に記載の方法。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
合成オリゴ糖１ａ又は１ｂ
【化１】
2016525507.tif 000001
［式中、Ｒ１及びＲ２のそれぞれは、独立に、Ｈ、単糖又はオリゴ糖であり、Ｘは、Ｈ、リンカー基又は保護基であり；Ｌはリンカーであり、Ｙは担体である］。
【請求項２】
（ｉ）Ｒ１及びＲ２のそれぞれが、Ｈ、α−Ｒｈａ−、α−Ｇｌｃ（１−２）−α−Ｒｈａ−、β−ＱｕｉＮＡｃ（１−３）−α−Ｒｈａ−、β−ＦｕｃＮＡｃ（１−３）−α−Ｒｈａ−、α−Ｒｈａ［２，３，４−ＯＡｃ］−、β−ＱｕｉＮＡｃ（１−３）−α−Ｒｈａ［２，４−ＯＡｃ］−又はβ−ＦｕｃＮＡｃ（１−３）−α−Ｒｈａ［２，４，−ＯＡｃ］から独立に選ばれ；
（ｉｉ）Ｒ１及びＲ２が、下記の表：
【表１】
2016525507.tif 000002
において収載されている組合せの１つから選ばれ
（ｉｉｉ）オリゴ糖１ａが、式（２ａ）、（３ａ）、（４ａ）、（５ａ）、（６ａ）、（７ａ）、（８ａ）又は（９ａ）を有し；又は
（ｉｖ）オリゴ糖１ｂが、式（２ｂ）、（３ｂ）、（４ｂ）、（５ｂ）、（６ｂ）、（７ｂ）、（８ｂ）又は（９ｂ）を有する、請求項１に記載のオリゴ糖。
【請求項３】
（ｉ）Ｌがアルキレンチオールリンカーであり；及び／又は
（ｉｉ）Ｙが、タンパク質、ペプチド、脂質、ポリマー、デンドリマー、ビロソーム、ウイルス様粒子、又はそれらの組合せから選ばれる担体である、請求項１又は２に記載のオリゴ糖。
【請求項４】
担体が担体タンパク質である、請求項３に記載のオリゴ糖。
【請求項５】
担体タンパク質が、細菌トキソイド、毒素、エキソトキシン、及びそれらの非毒性誘導体からなる群から選択される、請求項４に記載のオリゴ糖。
【請求項６】
担体タンパク質が、破傷風トキソイド、破傷風毒素フラグメントＣ、ジフテリアトキソイド、ＣＲＭ、コレラトキソイド、黄色ブドウ球菌（Ｓｔａｐｈｙｌｏｃｏｃｃｕｓ  ａｕｒｅｕｓ）エキソトキシン又はトキソイド、大腸菌（Ｅｓｃｈｅｒｉｃｈｉａ  ｃｏｌｉ）易熱性エンテロトキシン、緑膿菌（Ｐｓｅｕｄｏｍｏｎａｓ  ａｅｒｕｇｉｎｏｓａ）エキソトキシンＡ、遺伝子的に解毒されたその変異体、細菌外膜タンパク質、血清型Ｂ外膜タンパク質複合体（ＯＭＰＣ）、外膜クラス３ポーリン（ｒＰｏｒＢ）、ポーリン、キーホールリンペットヘモシアニン（ＫＬＨ）、Ｂ型肝炎ウイルスコアタンパク質、チログロブリン、アルブミン、オボアルブミン、肺炎球菌表面タンパク質Ａ（ＰｓｐＡ）、肺炎球菌付着因子タンパク質（ＰｓａＡ）、ツベルクリンの精製タンパク質誘導体（ＰＰＤ）、トランスフェリン結合タンパク質、ＴＬＲ−５のペプチジルアゴニスト、又は上記担体の誘導体及び／又は組合せから選ばれる、請求項４又は５に記載のオリゴ糖。
【請求項７】
担体タンパク質が、ＣＲＭ１９７、髄膜炎菌（Ｎｅｉｓｓｅｒｉａ  ｍｅｎｉｎｇｉｔｉｄｉｓ）、ウシ血清アルブミン（ＢＳＡ）、ヒト血清アルブミン（ＨＳＡ）、ポリ（リシン：グルタミン酸）、運動性細菌のフラジェリン、破傷風トキソイド、ＯＭＰＣ、又はそれらの誘導体及び／又は組合せから選ばれる、請求項６に記載のオリゴ糖。
【請求項８】
請求項１〜７のいずれか一項に記載の合成オリゴ糖と、薬学的に許容されるビヒクルとを含む、組成物。
【請求項９】
（ｉ）複数の異なるオリゴ糖を含み、ここで、各オリゴ糖は式１ａ又は１ｂのオリゴ糖である；
（ｉｉ）アジュバントをさらに含み；及び／又は
（ｉｉｉ）シュードモナス菌（Ｐｓｅｕｄｏｍｏｎａｓ）に対する免疫を与えるのに十分な量の、少なくとも１種のオリゴ糖を含む、請求項８に記載の組成物。
【請求項１０】
アジュバントが、アルミニウム塩、ＲＩＢＩ、ｔｏｌｌ様受容体アゴニスト、ＡＳ０１、ＡＳ０２、ＡＳ０３、ＡＳ０４、ＡＳ０５、ＣｐＧ−オリゴデオキシヌクレオチド、ＭＦ−５９、モンタナイドＩＳＡ−５１ＶＧ、モンタナイドＩＳＡ−７２０、Ｑｕｉｌ  Ａ、ＱＳ２１、合成サポニン、免疫刺激複合体、ステアリルチロシン、ウイルス様粒子、再構成インフルエンザビロソーム、サイトカイン、肥満細胞アクチベーター化合物４８／８０、リポソーム、ムラミールジペプチド、ＳＡＦ−１、又はそれらの組合せから選ばれる、請求項９に記載の組成物。
【請求項１１】
ワクチンとして使用するための、請求項１〜７のいずれか一項に記載のオリゴ糖を含む組成物。
【請求項１２】
対象におけるシュードモナス菌（Ｐｓｅｕｄｏｍｏｎａｓ）に対して、免疫応答又は抗原特異的な免疫応答を誘導するのに使用するための、請求項１〜７のいずれかに記載のオリゴ糖を含む医薬組成物。
【請求項１３】
アジュバントをさらに含む、請求項１２に記載の医薬組成物。
【請求項１４】
請求項１〜７のいずれか一項に記載のオリゴ糖に対する抗体調製物。
【請求項１５】
ポリクローナル抗体、モノクローナル抗体、マウスモノクローナルＩｇＧ抗体、ヒト化抗体、キメラ抗体、一本鎖抗体、それらのフラグメント、又はそれらの組合せから選ばれる少なくとも１つのメンバーを含む、請求項１４に記載の抗体調製物。
【請求項１６】
請求項１４又は１５に記載の抗体調製物を含む、対象においてシュードモナス菌（Ｐｓｅｕｄｏｍｏｎａｓ）に対する受動免疫を提供するのに使用するための医薬組成物。
【請求項１７】
対象における緑膿菌（Ｐ．ａｅｒｕｇｉｎｏｓａ）感染症に関連する疾患を治療又は予防するための、請求項１〜７のいずれか一項に記載のオリゴ糖又はそれに対する抗体。
【請求項１８】
対象がヒトである、請求項１７に記載のオリゴ糖又はそれに対する抗体。
【請求項１９】
シュードモナス菌（Ｐｓｅｕｄｏｍｏｎａｓ）に対して、抗体又はモノクローナル抗体を産生するための方法であって、
（ａ）請求項１〜７のいずれか一項に記載の少なくとも１つのオリゴ糖の有効量を非ヒトの対象又はウサギに投与するステップ；及び
（ｂ）抗体を対象から単離するステップ
を含む、上記方法。
【請求項２０】
（ｉ）対象にアジュバントを投与するステップ；及び／又は
（ｉｉ）対象からの抗体産生細胞を骨髄腫細胞と融合させ、融合サブクローンから産生された抗体を収集するステップ
をさらに含む、請求項１９に記載の方法。
【請求項２１】
請求項１９又は２０に記載の方法によって得られた抗体産生細胞。
【請求項２２】
請求項１９又は２０に記載の方法によって産生された抗体。
【請求項２３】
試料を、請求項１〜７のいずれか一項に記載のオリゴ糖に対する抗体と接触させるステップを含む、試料中におけるシュードモナス菌（Ｐｓｅｕｄｏｍｏｎａｓ）の存在を検出するための方法。
【請求項２４】
請求項１〜７のいずれか一項に記載のオリゴ糖に対する抗体を含むキット。
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
個体におけるタウオパチーを処置するための医薬組成物であって、
Ｔａｕポリペプチドのアミノ末端（Ｎ末端）領域内のエピトープに特異的に結合するヒト化抗Ｔａｕ抗体を含み；
該個体において、脳脊髄液（ＣＳＦ）におけるＡβ４０および／またはＡβ４２の量、あるいはニューロンからのＡβ４０および／またはＡβ４２の分泌における減少をもたらす、医薬組成物。
【請求項２】
個体におけるタウオパチーを処置するための医薬組成物であって、
Ｔａｕポリペプチドのアミノ末端（Ｎ末端）領域内のエピトープに特異的に結合するヒト化抗Ｔａｕ抗体を含み、ここで、エピトープは、Ｔａｕポリペプチドのアミノ酸１５−２４内にあり；
該個体において、ＣＳＦにおけるＡβ４０および／またはＡβ４２の量、あるいはニューロンからのＡβ４０および／またはＡβ４２の分泌における減少をもたらす、医薬組成物。
【請求項３】
エピトープが線形エピトープである、請求項１に記載の医薬組成物。
【請求項４】
エピトープが、Ｔａｕポリペプチドのアミノ酸１−２５または１５−４４内にある、請求項１または３に記載の医薬組成物。
【請求項５】
エピトープが、Ｔａｕポリペプチドのアミノ酸１５−２４内にある、請求項１または３に記載の医薬組成物。
【請求項６】
個体におけるタウオパチーを処置するための医薬組成物であって、
ａ）ＴａｕポリペプチドのＮ末端領域内のエピトープへの結合を、
（ｉ）配列番号１のアミノ酸配列を含むＶＬ ＣＤＲ１、
（ｉｉ）配列番号２のアミノ酸配列を含むＶＬ ＣＤＲ２、
（ｉｉｉ）配列番号３のアミノ酸配列を含むＶＬ ＣＤＲ３、
（ｉｖ）配列番号４のアミノ酸配列を含むＶＨ ＣＤＲ１、
（ｖ）配列番号５のアミノ酸配列を含むＶＨ ＣＤＲ２、および
（ｖｉ）配列番号６のアミノ酸配列を含むＶＨ ＣＤＲ３、
または
（ｉ）配列番号７のアミノ酸配列を含むＶＬ ＣＤＲ１、
（ｉｉ）配列番号８のアミノ酸配列を含むＶＬ ＣＤＲ２、
（ｉｉｉ）配列番号９のアミノ酸配列を含むＶＬ ＣＤＲ３、
（ｉｖ）配列番号１０のアミノ酸配列を含むＶＨ ＣＤＲ１、
（ｖ）配列番号１１のアミノ酸配列を含むＶＨ ＣＤＲ２、および
（ｖｉ）配列番号１２のアミノ酸配列を含むＶＨ ＣＤＲ３
を含む参照抗体と競合する、ヒト化軽鎖フレームワーク領域またはヒト化重鎖フレームワーク領域を含む抗体、ならびに
ｂ）ヒトへの投与に好適な薬学的に許容される添加剤；を含み
該個体において、ＣＳＦにおけるＡβ４０および／またはＡβ４２の量、あるいはニューロンからのＡβ４０および／またはＡβ４２の分泌における減少をもたらす、医薬組成物。
【請求項７】
該抗体が、
（ｉ）配列番号１または配列番号７のアミノ酸配列を含むＶＬ ＣＤＲ１、
（ｉｉ）配列番号２または配列番号８のアミノ酸配列を含むＶＬ ＣＤＲ２、
（ｉｉｉ）配列番号３または配列番号９のアミノ酸配列を含むＶＬ ＣＤＲ３、
（ｉｖ）配列番号４または配列番号１０のアミノ酸配列を含むＶＨ ＣＤＲ１、
（ｖ）配列番号５または配列番号１１のアミノ酸配列を含むＶＨ ＣＤＲ２、および
（ｖｉ）配列番号６または配列番号１２のアミノ酸配列を含むＶＨ ＣＤＲ３
を含む、請求項１または２に医薬組成物。
【請求項８】
該抗体が、
（ｉ）配列番号７のアミノ酸配列を含むＶＬ ＣＤＲ１、
（ｉｉ）配列番号８のアミノ酸配列を含むＶＬ ＣＤＲ２、
（ｉｉｉ）配列番号９のアミノ酸配列を含むＶＬ ＣＤＲ３、
（ｉｖ）配列番号１０のアミノ酸配列を含むＶＨ ＣＤＲ１、
（ｖ）配列番号１１のアミノ酸配列を含むＶＨ ＣＤＲ２、および
（ｖｉ）配列番号１２のアミノ酸配列を含むＶＨ ＣＤＲ３
を含む、請求項７に記載の医薬組成物。
【請求項９】
該抗体が、
（ｉ）配列番号１のアミノ酸配列を含むＶＬ ＣＤＲ１、
（ｉｉ）配列番号２のアミノ酸配列を含むＶＬ ＣＤＲ２、
（ｉｉｉ）配列番号３のアミノ酸配列を含むＶＬ ＣＤＲ３、
（ｉｖ）配列番号４のアミノ酸配列を含むＶＨ ＣＤＲ１、
（ｖ）配列番号５のアミノ酸配列を含むＶＨ ＣＤＲ２、および
（ｖｉ）配列番号６のアミノ酸配列を含むＶＨ ＣＤＲ３
を含む、請求項７に記載の医薬組成物。
【請求項１０】
抗体がリポソームに封入されている、請求項１から９のいずれか一項に記載の医薬組成物。
【請求項１１】
抗体が、血液脳関門の通過を促進する薬物と共に製剤されている、請求項１から９のいずれか一項に記載の医薬組成物。
【請求項１２】
抗体が、血液脳関門の通過を促進する担体分子、ペプチドまたはタンパク質に直接またはリンカーを介して融合されている、請求項１から９のいずれか一項に記載の医薬組成物。
【請求項１３】
抗体が、Ｆｖ、ｓｃＦｖ、Ｆａｂ、Ｆ（ａｂ’）２、またはＦａｂ’である、請求項１から９のいずれか一項に記載の医薬組成物。
【請求項１４】
タウオパチーを処置する少なくとも１つのさらなる薬物と組み合わせて投与される、請求項１から９のいずれか一項に記載の医薬組成物。
【請求項１５】
静脈内投与される、請求項１から９のいずれか一項に記載の医薬組成物。
【請求項１６】
髄腔内投与される、請求項１から９のいずれか一項に記載の医薬組成物。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
少なくとも２種のサイトカインを含む融合タンパク質を含む組成物であって、少なくとも１種のサイトカインが、その受容体に対する結合活性を強力に低下させる変異を含み、かつ少なくとも１種のサイトカインが、標的細胞上の変異したサイトカインの活性を回復する細胞特異的な標的化を提供する野生型サイトカインである、前記融合タンパク質を含む組成物。
【請求項２】
ＧＧＳリンカーをさらに含む、請求項１に記載の組成物。
【請求項３】
前記サイトカインが、ＸＣＬ１及びＩＦＮα２である、請求項１または２に記載の組成物。
【請求項４】
前記サイトカインが、ＣＣＬ２０及びＩＬ−１βである、請求項１または２に記載の組成物。
【請求項５】
前記サイトカインが、ＴＮＦ及びレプチンである、請求項１または２に記載の組成物。
【請求項６】
前記ＩＮＦα２が、変異を含む、請求項３に記載の組成物。
【請求項７】
前記ＸＣＬ１が、変異していない、請求項６に記載の組成物。
【請求項８】
前記ＩＬ−１βが、変異を含む、請求項４に記載の組成物。
【請求項９】
前記ＩＬ−１βの変異が、１２０、１３１、１４６、１４８、および２９０から選択される位置にある、請求項８に記載の組成物。
【請求項１０】
前記ＩＬ−１βの変異が、Ｒ１２０Ｇ、Ｑ１３１Ｇ、Ｈ１４６Ａ、Ｑ１４８Ｇ、および  Ｋ２０９Ａから選択される、請求項９に記載の組成物。
【請求項１１】
前記ＣＣＬ２０が変異していない、請求項４に記載の組成物。
【請求項１２】
前記レプチンが、変異を含む、請求項５に記載の組成物。
【請求項１３】
前記レプチンの変異が、８６の位置にある、請求項１２に記載の組成物。
【請求項１４】
前記レプチンの変異が、Ｌ８６ＳおよびＬ８６Ｎから選択される、請求項１３に記載の組成物。
【請求項１５】
前記ＴＮＦが、変異していない、請求項１４に記載の組成物。
【請求項１６】
細胞における免疫応答を刺激する方法に使用するための請求項１〜１５のいずれか１項に記載の組成物であって、前記方法は、細胞と前記組成物を接触させることを含むことを特徴とする、組成物。
【請求項１７】
ＮＦκＢが活性化されている、請求項１６に記載の組成物。
【請求項１８】
前記変異したサイトカインが、Ｒ１２０Ｇ、Ｑ１３１Ｇ、Ｈ１４６Ａ、Ｑ１４８Ｇ、およびＫ２０９Ａから選択される変異を含むヒトＩＬ−１β変異体である、請求項１７に記載の組成物。
【請求項１９】
前記サイトカインの一つが、野生型ＣＣＬ２０である、請求項１８に記載の組成物。